【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
縦方向と横方向を有し、前胴回り域と、後胴回り域と、前記前後胴回り域間に位置する股間域とに区画されるとともに、前記股間域から前記前後胴回り域へ延び出す吸収構造体を備え、
前記前後胴回り域がそれぞれ、非伸縮性のシート部材と、前記横方向に延びる胴回り弾性部材とを含む胴回り弾性領域を備え、前記胴回り弾性部材は前記横方向に伸長された状態で前記非伸縮性のシート部材に接合され、
前記吸収構造体が前記前胴回り域及び／又は前記後胴回り域に接合される使い捨て着用物品であって、
前記前後胴回り域に含まれる前記非伸縮性のシート部材が、前記胴回り弾性部材とともに前記横方向に収縮して前記非伸縮性のシート部材に前記縦方向に延びる皺が複数生じた状態において、前記吸収構造体が前記前胴回り域及び／又は前記後胴回り域の前記胴回り弾性領域の少なくとも一部に配置される接合域に接合されることを特徴とする着用物品。
【請求項２】
前記前後胴回り域のそれぞれが、前記横方向に延びる胴回り上端縁を有し、前記前胴回り域及び／又は前記後胴回り域において、前記接合域が前記縦方向において前記胴回り上端縁から離間した位置に配置され、前記胴回り上端縁と前記接合域との間に前記胴回り弾性領域の一部が前記横方向に延びる請求項１に記載の着用物品。
【請求項３】
前記前胴回り域及び／又は前記後胴回り域において、前記前胴回り域及び／又は前記後胴回り域の前記胴回り弾性領域の少なくとも一部に配置される前記接合域が、前記縦方向において前記股間域から離間する位置に配置され、前記接合域と前記股間域との間に前記胴回り弾性領域の一部が前記横方向に延びるとともに、前記前胴回り域及び／又は前記後胴回り域が前記前後胴回り域を前記横方向に延びる伸縮域、第１隣接伸縮域、及び第２隣接伸縮域に区画され、
前記伸縮域には、前記接合域と、前記接合域の両側から前記横方向に延び出して前記前胴回り域及び／又は前記後胴回り域の両側縁に至る両側領域とが含まれ、
前記第１隣接伸縮域は、前記胴回り上端縁と前記伸縮域との間に位置して前記伸縮域に隣接し、前記第２隣接伸縮域は、前記伸縮域と前記股間域との間に位置して前記伸縮域に隣接し、
前記伸縮域に含まれる前記両側領域、前記第１隣接伸縮域、及び第２隣接伸縮域のそれぞれを、前記前後胴回り域を構成する前記非伸縮性のシート部材の表面に目視にて皺がなくなるまで伸長させたとき、前記伸縮域の伸長量が、前記第１隣接伸縮域及び第２隣接伸縮域の伸長量よりも小さい請求項２に記載の着用物品。
【請求項４】
前記前胴回り域及び前記後胴回り域のそれぞれが前記接合域を備えるとともに、前記横方向に延びる前記胴回り上端縁と、前記縦方向に延びる前記両側縁とを有し、
前記接合域は、前記横方向において前記前後胴回り域の前記両側縁から離間し、且つ前記縦方向において前記胴回り上端縁及び前記股間域から離間する位置に配置され、
前記前後胴回り域のそれぞれが、前記接合域の両側から前記横方向に延び出して前記両側縁に至る前記両側領域を有し、前記前胴回り域の前記両側縁と前記後胴回り域の前記両側縁とを重ね合わせたとき、前記前後胴回り域のそれぞれに位置する前記両側領域どうしが、前記前後胴回り域の前記両側縁において重なり合う請求項２又は３に記載の着用物品。
【請求項５】
前記前後胴回り域が複数の前記非伸縮性のシート部材を重ね合わせて形成され、前記前後胴回り域において、前記複数のシート部材の間に複数条の弾性糸が伸長状態で接合されて前記横方向に収縮可能である請求項１〜４のいずれかに記載の着用物品。
【請求項６】
前記前後胴回り域が、弾性を有する繊維を含む少なくとも１枚の弾性不織布と、少なくとも１枚の前記非伸縮性のシート部材とを含んで形成され、前記弾性不織布が前記横方向に収縮可能である請求項１〜４のいずれかに記載の着用物品。
【請求項７】
前記前胴回り域及び／又は前記後胴回り域において、前記接合域が前記縦方向に離間して少なくとも２箇所配置される請求項１〜６のいずれかに記載の着用物品。
【請求項８】
前胴回り域と、後胴回り域と、前記前後胴回り域間に位置する股間域と、前記股間域から前記前後胴回り域へ延び出す吸収構造体とを含み、前記吸収構造体と、前記前後胴回り域とが、前記前胴回り域に配置される前接合域及び／又は前記後胴回り域に配置される後接合域において接合される使い捨て着用物品の製造方法であって、
少なくとも１枚の非伸縮性のシート部材を機械方向に第１速度で連続的に供給しながら前記シート部材に前記機械方向と平行な方向に延びる前胴回り弾性領域及び後胴回り弾性領域を形成する弾性化工程であって、前記前胴回り域、前記後胴回り域及び前記股間域となる部分を前記シート部材において前記機械方向に直交する交差方向に配列し、前記前胴回り域及び前記後胴回り域となる部分のそれぞれに前記前後胴回り弾性領域を形成する前記弾性化工程と、
前記シート部材の供給速度を前記第１速度より遅い第２速度に変更して前記シート部材を前記機械方向に収縮させた後、前記シート部材に対し前記吸収構造体を供給して、前記非伸縮性のシート部材に前記機械方向に直交する前記交差方向に延びる複数の皺が生じた状態で、前記前後接合域において前記吸収構造体を前記シート部材に接合する接合工程であって、
前記シート部材に前記吸収構造体を重ね合わせる領域内において、前記前後接合域を前記前後胴回り弾性領域の少なくとも一部と重なり合う位置に配置するとともに、前記前後接合域を前記機械方向に一定の間隔を置きながら前記シート部材に配置する前記接合工程と、
前記接合工程から供給される前記シート部材において隣接する２つの前記吸収構造体の間を前記交差方向に切断して個別の着用物品を得る組立工程とを含むことを特徴とする製造方法。
【請求項９】
前記接合工程において、前記前接合域及び／又は前記後接合域を、前記シート部材の両側縁から前記交差方向に離間する位置であって、前記前接合域及び／又は前記後接合域と前記シート部材の両側縁との間に前記前後胴回り弾性領域の一部が延在する位置に配置する請求項８に記載の製造方法。
【請求項１０】
前記シート部材に少なくとも２枚の非伸縮性の不織布が含まれ、
前記弾性化工程において、複数条の弾性糸を前記機械方向に伸長状態で連続して供給しながら前記少なくとも２枚の非伸縮性の不織布の間に接合して前記前後胴回り弾性領域を形成することを含む請求項８又は９に記載の製造方法。
【請求項１１】
前記シート部材に、少なくとも１枚の非伸縮性の不織布と、弾性を有する繊維を含む少なくとも１枚の弾性不織布とが含まれ、
前記弾性化工程において、前記弾性不織布を前記機械方向に伸長状態で連続して供給しながら前記非伸縮性の不織布に接合して前記前後胴回り弾性領域を形成することを含む請求項８又は９に記載の製造方法。
【請求項１２】
前記接合工程において、前記前接合域及び／又は前記後接合域を、前記交差方向において互いに離間するようにして少なくとも２箇所配置する請求項８〜１１のいずれかに記載の製造方法。
【請求項１３】
前記第２速度が前記第１速度の７０〜９５％の速度である請求項８〜１２のいずれかに記載の製造方法。
【手続補正２】
【補正対象書類名】明細書
【補正対象項目名】０００９
【補正方法】変更
【補正の内容】
【０００９】
本発明の着用物品では、前後胴回り域に含まれる非伸縮性のシート部材が、胴回り弾性部材とともに横方向に収縮して非伸縮性のシート部材に縦方向に延びる皺が複数生じた状態において、吸収構造体が前胴回り域及び／又は後胴回り域の胴回り弾性領域の少なくとも一部に配置される接合域に接合される。
【手続補正３】
【補正対象書類名】明細書
【補正対象項目名】００１１
【補正方法】変更
【補正の内容】
【００１１】
本発明の製造方法は、少なくとも１枚の非伸縮性のシート部材を機械方向に第１速度で連続的に供給しながらシート部材に機械方向と平行な方向に延びる前胴回り弾性領域及び後胴回り弾性領域を形成する弾性化工程であって、前胴回り域、後胴回り域及び股間域となる部分をシート部材において機械方向に直交する交差方向に配列し、前胴回り域及び後胴回り域となる部分のそれぞれに前後胴回り弾性領域を形成する弾性化工程と、シート部材の供給速度を第１速度より遅い第２速度に変更してシート部材を機械方向に収縮させた後、シート部材に対し吸収構造体を供給して、非伸縮性のシート部材に機械方向に直交する交差方向に延びる複数の皺が生じた状態で、前後接合域において吸収構造体をシート部材に接合する接合工程であって、シート部材に吸収構造体を重ね合わせる領域内において、前後接合域を前後胴回り弾性領域の少なくとも一部と重なり合う位置に配置するとともに、前後接合域を機械方向に一定の間隔を置きながらシート部材に配置する接合工程と、接合工程から供給されるシート部材において隣接する２つの吸収構造体の間を交差方向に切断して個別の着用物品を得る組立工程とを含む。
【手続補正４】
【補正対象書類名】明細書
【補正対象項目名】００２２
【補正方法】変更
【補正の内容】
【００２２】
本実施形態では、吸収構造体４０の前後端部４０ａ，４０ｂと、前後胴回り域１１，１２に含まれる肌側シート２１とが、前後接合域５０，５１において接合される。吸収構造体４０の前後端部４０ａ，４０ｂは、横方向Ｘにおいて前後胴回り域１１，１２の両側縁１６から内側に離間した位置にある。前後接合域５０，５１は、吸収構造体４０の前後端部４０ａ，４０ｂと前後胴回り弾性領域２７，２８とが重なり合う領域において、前後胴回り上端縁１４，１５及び両側縁１６から離間し、さらに股間域１３から離間する位置に配置される。前後接合域５０，５１と前後胴回り上端縁１４，１５との間、並びに、前後接合域５０，５１と股間域１３との間には、前後胴回り弾性領域２７，２８を構成する複数条の弾性糸６２の一部が横方向Ｘに延びる。前後接合域５０，５１は、ホットメルト接着剤を肌側シート２１または吸収構造体４０の前後端部４０ａ，４０ｂに塗布することにより形成することができる。
【手続補正５】
【補正対象書類名】明細書
【補正対象項目名】００５９
【補正方法】変更
【補正の内容】
【００５９】
以上に記載した本発明の着用物品に関する開示は、少なくとも下記の事項に整理することができる。
縦方向と横方向を有し、前胴回り域と、後胴回り域と、前後胴回り域間に位置する股間域とに区画されるとともに、股間域から前後胴回り域へ延び出す吸収構造体を備え、前後胴回り域がそれぞれ、非伸縮性のシート部材と、横方向に延びる胴回り弾性部材とを含む胴回り弾性領域を備え、胴回り弾性部材は横方向に伸長された状態で非伸縮性のシート部材に接合され、吸収構造体が前胴回り域及び／又は後胴回り域に接合される使い捨て着用物品であって、前後胴回り域に含まれる非伸縮性のシート部材が、胴回り弾性部材とともに横方向に収縮して非伸縮性のシート部材に縦方向に延びる皺が複数生じた状態において、吸収構造体が前胴回り域及び／又は後胴回り域の胴回り弾性領域の少なくとも一部に配置される接合域に接合される。
【手続補正６】
【補正対象書類名】明細書
【補正対象項目名】００６０
【補正方法】変更
【補正の内容】
【００６０】
上記段落００５９に開示した着用物品に関する本発明は、少なくとも下記の実施の形態を含むことができる。該実施の形態は、分離して又は互いに組み合わせて採択することができる。
（１）前後胴回り域のそれぞれが、横方向に延びる胴回り上端縁を有し、前胴回り域及び／又は後胴回り域において、接合域が縦方向において胴回り上端縁から離間した位置に配置され、胴回り上端縁と接合域との間に胴回り弾性領域の一部が横方向に延びる。
（２）前胴回り域及び／又は後胴回り域において、前胴回り域及び／又は後胴回り域の胴回り弾性領域の少なくとも一部に配置される接合域が、縦方向において股間域から離間する位置に配置され、接合域と股間域との間に胴回り弾性領域の一部が横方向に延びるとともに、前胴回り域及び／又は後胴回り域が前後胴回り域を横方向に延びる伸縮域、第１隣接伸縮域、及び第２隣接伸縮域に区画され、伸縮域には、接合域と、接合域の両側から横方向に延び出して前胴回り域及び／又は後胴回り域の両側縁に至る両側領域とが含まれ、第１隣接伸縮域は、胴回り上端縁と伸縮域との間に位置して伸縮域に隣接し、第２隣接伸縮域は、伸縮域と股間域との間に位置して伸縮域に隣接し、伸縮域に含まれる両側領域、第１隣接伸縮域、及び第２隣接伸縮域のそれぞれを、前後胴回り域を構成する非伸縮性のシート部材の表面に目視にて皺がなくなるまで伸長させたとき、伸縮域の伸長量が、第１隣接伸縮域及び第２隣接伸縮域の伸長量よりも小さい。
（３）前胴回り域及び後胴回り域のそれぞれが接合域を備えるとともに、横方向に延びる胴回り上端縁と、縦方向に延びる両側縁とを有し、接合域は、横方向において前後胴回り域の両側縁から離間し、且つ縦方向において胴回り上端縁及び股間域から離間する位置に配置され、前後胴回り域のそれぞれが、接合域の両側から横方向に延び出して両側縁に至る両側領域を有し、前胴回り域の両側縁と後胴回り域の両側縁とを重ね合わせたとき、前後胴回り域のそれぞれに位置する両側領域どうしが、前後胴回り域の両側縁において重なり合う。
（４）前後胴回り域が複数の非伸縮性のシート部材を重ね合わせて形成され、前後胴回り域において、複数のシート部材の間に複数条の弾性糸が伸長状態で接合されて横方向に収縮可能である。
（５）前後胴回り域が、弾性を有する繊維を含む少なくとも１枚の弾性不織布と、少なくとも１枚の非伸縮性のシート部材とを含んで形成され、弾性不織布が横方向に収縮可能である。
（６）記前胴回り域及び／又は後胴回り域において、接合域が縦方向に離間して少なくとも２箇所配置される。
【手続補正７】
【補正対象書類名】明細書
【補正対象項目名】００６１
【補正方法】変更
【補正の内容】
【００６１】
以上に記載した本発明の着用物品の製造方法に関する開示は、少なくとも下記の事項に整理することができる。
前胴回り域と、後胴回り域と、前後胴回り域間に位置する股間域と、股間域から前後胴回り域へ延び出す吸収構造体とを含み、吸収構造体と、前後胴回り域とが、前胴回り域に配置される前接合域及び／又は後胴回り域に配置される後接合域において接合される使い捨て着用物品の製造方法であって、少なくとも１枚の非伸縮性のシート部材を機械方向に第１速度で連続的に供給しながらシート部材に機械方向と平行な方向に延びる前胴回り弾性領域及び後胴回り弾性領域を形成する弾性化工程であって、前胴回り域、後胴回り域及び股間域となる部分をシート部材において機械方向に直交する交差方向に配列し、前胴回り域及び後胴回り域となる部分のそれぞれに前後胴回り弾性領域を形成する弾性化工程と、シート部材の供給速度を第１速度より遅い第２速度に変更してシート部材を機械方向に収縮させた後、シート部材に対し吸収構造体を供給して、非伸縮性のシート部材に機械方向に直交する交差方向に延びる複数の皺が生じた状態で、前後接合域において吸収構造体をシート部材に接合する接合工程であって、シート部材に吸収構造体を重ね合わせる領域内において、前後接合域を前後胴回り弾性領域の少なくとも一部と重なり合う位置に配置するとともに、前後接合域を機械方向に一定の間隔を置きながらシート部材に配置する接合工程と、接合工程から供給されるシート部材において隣接する２つの吸収構造体の間を交差方向に切断して個別の着用物品を得る組立工程とを含む。
【手続補正８】
【補正対象書類名】明細書
【補正対象項目名】００６２
【補正方法】変更
【補正の内容】
【００６２】
上記段落００６１に開示した着用物品の製造方法に関する本発明は、少なくとも下記の実施の形態を含むことができる。該実施の形態は、分離して又は互いに組み合わせて採択することができる。
（１）接合工程において、前接合域及び／又は後接合域を、シート部材の両側縁から交差方向に離間する位置であって、前接合域及び／又は後接合域とシート部材の両側縁との間に前後胴回り弾性領域の一部が延在する位置に配置する。
（２）シート部材に少なくとも２枚の非伸縮性の不織布が含まれ、弾性化工程において、複数条の弾性糸を機械方向に伸長状態で連続して供給しながら少なくとも２枚の非伸縮性の不織布の間に接合して前後胴回り弾性領域を形成することを含む。
（３）シート部材に、少なくとも１枚の非伸縮性の不織布と、弾性を有する繊維を含む少なくとも１枚の弾性不織布とが含まれ、弾性化工程において、弾性不織布を機械方向に伸長状態で連続して供給しながら非伸縮性の不織布に接合して前後胴回り弾性領域を形成することを含む。
（４）接合工程において、前接合域及び／又は後接合域を、交差方向において互いに離間するようにして少なくとも２箇所配置する。
（５）第２速度が第１速度の７０〜９５％の速度である。